(57)【要約】【課題】複数の貸出レートでの遊技媒体の貸し出しを認めるとともに、各貸出レートで貸し出した遊技媒体の貯玉及び貯玉使用をそれぞれ認める場合に、遊技店の様々な営業形態に効率良く適合させることを課題とする。【解決手段】貯玉管理装置５０の貯玉管理部５５ａが、会員カードＩＤに対応付けて４円貯玉口座及び１円貯玉口座を管理する貯玉管理テーブル５４ａを用いて各遊技客の貯玉数を管理するとともに、景品交換設定部５５ｂにより貸出レート毎の貯玉使用条件を設定処理する。【選択図】        図２
2008167997.tif 000002
【特許請求の範囲】
【請求項１】
各遊技客の識別情報に対応付けて該遊技客により獲得された遊技媒体を貯遊技媒体として管理する貯遊技媒体管理装置であって、
各遊技客の識別情報に対応付けて同一種類の遊技媒体を貸出レートごとに設定した複数の貯遊技媒体口座を管理する貯遊技媒体管理テーブルを記憶する記憶手段と、
前記記憶手段に記憶された貯遊技媒体管理テーブルを用いて各遊技客の貯遊技媒体数を管理する貯遊技媒体管理手段と、
前記貯遊技媒体管理手段により管理される貯遊技媒体口座の貯遊技媒体使用条件を貸出レートごとに設定する貯遊技媒体使用条件設定手段と、
前記貯遊技媒体使用条件設定手段により設定された貯遊技媒体使用条件に基づいて、前記貯遊技媒体管理手段により管理された各貯遊技媒体口座の使用可否を通知する使用可否通知手段と
を備えたことを特徴とする貯遊技媒体管理装置。
【請求項２】
前記貯遊技媒体使用条件設定手段は、前記貯遊技媒体管理手段により管理される貯遊技媒体口座内の貯遊技媒体に対する一般景品並びに特殊景品への景品交換条件を貸出レートごとに設定することを特徴とする請求項１に記載の貯遊技媒体管理装置。
【請求項３】
前記貯遊技媒体使用条件設定手段は、前記貯遊技媒体管理手段により管理される貯遊技媒体口座内の貯遊技媒体に対する特殊景品への景品交換条件を貸出レート及び特殊景品の種別ごとに設定することを特徴とする請求項２に記載の貯遊技媒体管理装置。
【請求項４】
前記貯遊技媒体使用条件設定手段は、前記貯遊技媒体管理手段により管理される貯遊技媒体口座内の貯遊技媒体に対する一般景品への景品交換条件を貸出レート及び一般景品の種別ごとに設定することを特徴とする請求項２又は３に記載の貯遊技媒体管理装置。
【請求項５】
各遊技客の識別情報に対応付けて該遊技客により獲得された遊技媒体を貯遊技媒体として管理する貯遊技媒体管理装置と、該遊技媒体管理装置で管理される貯遊技媒体数に対応する景品交換を行う景品管理機とを有する景品交換システムであって、
前記貯遊技媒体管理装置は、
各遊技客の識別情報に対応付けて同一種類の遊技媒体を貸出レートごとに設定した複数の貯遊技媒体口座を管理する貯遊技媒体管理テーブルを記憶する記憶手段と、前記記憶手段に記憶された貯遊技媒体管理テーブルを用いて各遊技客の貯遊技媒体数を管理する貯遊技媒体管理手段とを備え、
前記貯遊技媒体管理装置又は前記景品管理機は、
前記貯遊技媒体管理手段により管理される貯遊技媒体口座の貯遊技媒体使用条件を貸出レートごとに設定する貯遊技媒体使用条件設定手段を備えた
ことを特徴とする景品交換システム。
【請求項６】
各遊技客の識別情報に対応付けて該遊技客により獲得された遊技媒体を貯遊技媒体として管理する貯遊技媒体管理装置の貯遊技媒体管理方法であって、
各遊技客の識別情報に対応付けて同一種類の遊技媒体を貸出レートごとに設定した複数の貯遊技媒体口座を管理する貯遊技媒体管理テーブルを用いて各遊技客の貯遊技媒体数を管理する貯遊技媒体管理工程と、
前記貯遊技媒体管理工程により管理される貯遊技媒体口座の貯遊技媒体使用条件を貸出レートごとに設定する貯遊技媒体使用条件設定工程と、
前記貯遊技媒体使用条件設定工程により設定された貯遊技媒体使用条件に基づいて、前記貯遊技媒体管理工程により管理された各貯遊技媒体口座の使用可否を通知する使用可否通知工程と
を含んだことを特徴とする貯遊技媒体管理方法。
【請求項７】
各遊技客の識別情報に対応付けて該遊技客により獲得された遊技媒体を貯遊技媒体として管理する貯遊技媒体管理装置の貯遊技媒体管理プログラムであって、
各遊技客の識別情報に対応付けて同一種類の遊技媒体を貸出レートごとに設定した複数の貯遊技媒体口座を管理する貯遊技媒体管理テーブルを用いて各遊技客の貯遊技媒体数を管理する貯遊技媒体管理手順と、
前記貯遊技媒体管理手順により管理される貯遊技媒体口座の貯遊技媒体使用条件を貸出レートごとに設定する貯遊技媒体使用条件設定手順と、
前記貯遊技媒体使用条件設定手順により設定された貯遊技媒体使用条件に基づいて、前記貯遊技媒体管理手順により管理された各貯遊技媒体口座の使用可否を通知する使用可否通知手順と
をコンピュータに実行させることを特徴とする貯遊技媒体管理プログラム。
【発明の詳細な説明】
【技術分野】
【０００１】
本発明は、各遊技客の識別情報に対応付けて該遊技客により獲得された遊技媒体を貯遊技媒体として管理する貯遊技媒体管理装置、貯遊技媒体管理方法及び貯遊技媒体管理プログラムに関し、特に、複数の貸出レートでの遊技媒体の貸し出しを認めるとともに、各貸出レートで貸し出した遊技媒体の貯遊技媒体及び貯遊技媒体使用をそれぞれ認める場合に、遊技店の様々な営業形態に効率良く適合させることができる貯遊技媒体管理装置、景品交換システム、貯遊技媒体管理方法及び貯遊技媒体管理プログラムに関する。
【背景技術】
【０００２】
従来、パチンコ店等の遊技店では、会員カードを発行した会員により獲得されたパチンコ玉又はメダル（以下、「遊技媒体」と総称する）を会員カードに対応付けて預かる貯玉又は貯メダル（以下、単に「貯玉」と総称する）サービスが会員に対して提供されている。
【０００３】
例えば、特許文献１には、パチンコ台に併設される台間貯玉返却指令機に会員カードを挿入して暗証番号を入力するとともに貯玉返却キーを押下操作すると、コントローラに貯玉返却要求がなされ、貯玉返却可能である場合にはコントローラから台間貯玉指令機に対して玉返却指令が行われ、この玉返却指令に応答して台間玉貸機からパチンコ玉を払い出す貯玉返却システムが開示されている。
【０００４】
かかる特許文献１に代表される従来の貯玉システムでは、遊技客が遊技媒体数を計数する計数機に対して会員カードと遊技媒体を投入して貯玉操作を行うと、この計数機によって計数された遊技媒体数及び計数機により会員カードから読み取られた会員カードＩＤが管理装置に対して通知され、この管理装置上で遊技媒体の貯玉数が管理されることになる。また、計数機で印刷したレシートをＰＯＳ端末等の景品管理機で読み取るとともに該景品管理機に会員カードを挿入して貯玉操作を行うと、同様に遊技媒体数及び会員カードＩＤが管理装置に対して通知され、この管理装置上で遊技媒体の貯玉数が管理される。そして、このようにして預け入れられた貯玉は、特許文献１等を用いて再プレイ又は景品管理機で景品交換されることになる。
【０００５】
【特許文献１】特開平１０−８５４３６号公報
【発明の開示】
【発明が解決しようとする課題】
【０００６】
ところが、従来の貯玉システムでは、パチンコ玉について１つの貯玉口座を付与しメダルについて１つの貯メダル口座を付与するというように、同一種別の遊技媒体に関して各会員に単一口座のみしか認めていなかった。このため、例えばパチンコ玉を１玉４円で貸し出す４円コーナーとパチンコ玉を１玉１円で貸し出す１円コーナーが併設され、かつ、遊技店が４円コーナーと１円コーナーの両方に対して貯玉サービスを提供しようとする場合には、各会員に対して１玉４円の貯玉を認める４円貯玉と１玉１円の貯玉を認める１円貯玉を別個に管理する必要が生ずる。
【０００７】
しかしながら、従来の単一口座の場合と同様に４円貯玉口座及び１円貯玉口座内の貯玉使用条件を固定したのでは、遊技店が、店内に４円コーナーと１円コーナーを併設して様々な営業形態を図りたいとするニーズに対応できないという問題がある。
【０００８】
具体的には、遊技店内に設けられる１円コーナーは、遊技客による新台等の試し打ちを可能にするために設けられることが多いため、１円コーナーでの遊技よりも４円コーナーでの遊技を優遇することが望ましいが、かかる１円コーナーでの１円貯玉の景品交換条件を４円貯玉と同様に認めたのでは、遊技客が４円コーナーで遊技する遊技意欲を高めることができない。
【０００９】
このため、４円貯玉と１円貯玉という複数の貸出レートで玉貸しを行う玉貸しコーナーを設け、４円貯玉及び１円貯玉並びにそれらの景品交換等への使用を認める場合に、いかにして遊技店の様々な営業形態に適合可能とするかが重要な課題となっている。なお、かかる課題は、４円貯玉と１円貯玉を併用した場合だけではなく、４円貯玉と２円貯玉というように複数の貸出レートのコーナーを設けた場合に同様に生ずる課題である。また、遊技店によっては、１円コーナーを優遇したいというニーズも想定され、その場合にも同様の課題が生じることになる。
【００１０】
この発明は、上記課題（問題点）に鑑みてなされたものであり、複数の貸出レートでの遊技媒体の貸し出しを認めるとともに、各貸出レートで貸し出した遊技媒体の貯玉及び貯玉使用をそれぞれ認める場合に、遊技店の様々な営業形態に効率良く適合させることができる貯玉管理装置、景品交換システム、貯玉管理方法及び貯玉管理プログラムを提供することを目的とする。
【課題を解決するための手段】
【００１１】
上述した課題を解決するため、本発明は、各遊技客の識別情報に対応付けて該遊技客により獲得された遊技媒体を貯玉として管理する貯玉管理装置であって、各遊技客の識別情報に対応付けて同一種類の遊技媒体を貸出レートごとに設定した複数の貯玉口座を管理する貯玉管理テーブルを記憶する記憶手段と、前記記憶手段に記憶された貯玉管理テーブルを用いて各遊技客の貯玉数を管理する貯玉管理手段と、前記貯玉管理手段により管理される貯玉口座の貯玉使用条件を貸出レートごとに設定する貯玉使用条件設定手段と、前記貯玉使用条件設定手段により設定された貯玉使用条件に基づいて、前記貯玉管理手段により管理された各貯玉口座の使用可否を通知する使用可否通知手段とを備えたことを特徴とする。
【００１２】
また、本発明は、上記発明において、前記貯玉使用条件設定手段は、前記貯玉管理手段により管理される貯玉口座内の貯玉に対する一般景品並びに特殊景品への景品交換条件を貸出レートごとに設定することを特徴とする。
【００１３】
また、本発明は、上記発明において、前記貯玉使用条件設定手段は、前記貯玉管理手段により管理される貯玉口座内の貯玉に対する特殊景品への景品交換条件を貸出レート及び特殊景品の種別ごとに設定することを特徴とする。
【００１４】
また、本発明は、上記発明において、前記貯玉使用条件設定手段は、前記貯玉管理手段により管理される貯玉口座内の貯玉に対する一般景品への景品交換条件を貸出レート及び一般景品の種別ごとに設定することを特徴とする。
【００１５】
また、本発明は、各遊技客の識別情報に対応付けて該遊技客により獲得された遊技媒体を貯遊技媒体として管理する貯遊技媒体管理装置と、該遊技媒体管理装置で管理される貯遊技媒体数に対応する景品交換を行う景品管理機とを有する景品交換システムであって、前記貯遊技媒体管理装置は、各遊技客の識別情報に対応付けて同一種類の遊技媒体を貸出レートごとに設定した複数の貯遊技媒体口座を管理する貯遊技媒体管理テーブルを記憶する記憶手段と、前記記憶手段に記憶された貯遊技媒体管理テーブルを用いて各遊技客の貯遊技媒体数を管理する貯遊技媒体管理手段とを備え、前記貯遊技媒体管理装置又は前記景品管理機は、前記貯遊技媒体管理手段により管理される貯遊技媒体口座の貯遊技媒体使用条件を貸出レートごとに設定する貯遊技媒体使用条件設定手段を備えたことを特徴とする。
【００１６】
また、本発明は、各遊技客の識別情報に対応付けて該遊技客により獲得された遊技媒体を貯玉として管理する貯玉管理装置の貯玉管理方法であって、各遊技客の識別情報に対応付けて同一種類の遊技媒体を貸出レートごとに設定した複数の貯玉口座を管理する貯玉管理テーブルを用いて各遊技客の貯玉数を管理する貯玉管理工程と、前記貯玉管理工程により管理される貯玉口座の貯玉使用条件を貸出レートごとに設定する貯玉使用条件設定工程と、前記貯玉使用条件設定工程により設定された貯玉使用条件に基づいて、前記貯玉管理工程により管理された各貯玉口座の使用可否を通知する使用可否通知工程とを含んだことを特徴とする。
【００１７】
また、本発明は、各遊技客の識別情報に対応付けて該遊技客により獲得された遊技媒体を貯玉として管理する貯玉管理装置の貯玉管理プログラムであって、各遊技客の識別情報に対応付けて同一種類の遊技媒体を貸出レートごとに設定した複数の貯玉口座を管理する貯玉管理テーブルを用いて各遊技客の貯玉数を管理する貯玉管理手順と、前記貯玉管理手順により管理される貯玉口座の貯玉使用条件を貸出レートごとに設定する貯玉使用条件設定手順と、前記貯玉使用条件設定手順により設定された貯玉使用条件に基づいて、前記貯玉管理手順により管理された各貯玉口座の使用可否を通知する使用可否通知手順とをコンピュータに実行させることを特徴とする。
【発明の効果】
【００１８】
本発明によれば、各遊技客の識別情報に対応付けて同一種類の遊技媒体を貸出レートごとに設定した複数の貯玉口座を管理する貯玉管理テーブルを用いて各遊技客の貯玉数を管理するとともに、管理される貯玉口座の貯玉使用条件を貸出レートごとに設定し、設定された貯玉使用条件に基づいて、管理された各貯玉口座の使用可否を通知するよう構成したので、複数の貸出レートでの遊技媒体の貸し出しを認めるとともに、各貸出レートで貸し出した遊技媒体の貯玉及び貯玉使用をそれぞれ認める場合に、遊技店の様々な営業形態に効率良く適合させることができる。
【００１９】
また、本発明によれば、管理される貯玉口座内の貯玉に対する一般景品並びに特殊景品への景品交換条件を貸出レートごとに設定するよう構成したので、例えば４円貯玉については一般景品及び特殊景品の双方に交換可能とし、１円貯玉については一般景品のみへ交換可能とし、もって４円貯玉の貯玉使用を優遇することにより、遊技店の営業形態に効率良く適合させることができる。
【００２０】
また、本発明によれば、管理される貯玉口座内の貯玉に対する特殊景品への景品交換条件を貸出レート及び特殊景品の種別ごとに設定するよう構成したので、例えば４円貯玉については２５００円及び１０００円の双方の特殊景品に交換可能とし、１円貯玉については１０００円の特殊景品にのみ交換可能とし、もって４円貯玉について５００円単位での特殊景品への交換ができるように優遇することにより、遊技店の営業形態に効率良く適合させることができる。
【００２１】
また、本発明によれば、管理される貯玉口座内の貯玉に対する一般景品への景品交換条件を貸出レート及び一般景品の種別ごとに設定するよう構成したので、例えば４円貯玉については店内に陳列した全ての一般景品に交換可能とし、１円貯玉については菓子のみに交換可能とし、もって４円貯玉について優遇することにより、遊技店の営業形態に効率良く適合させることができる。
【００２２】
また、本発明によれば、貯遊技媒体管理装置が、各遊技客の識別情報に対応付けて同一種類の遊技媒体を貸出レートごとに設定した複数の貯遊技媒体口座を管理する貯遊技媒体管理テーブルを用いて各遊技客の貯遊技媒体数を管理しておき、貯遊技媒体管理装置又は景品管理機が、管理される貯遊技媒体口座の貯遊技媒体使用条件を貸出レートごとに設定するよう構成したので、複数の貸出レートでの遊技媒体の貸し出しを認めるとともに、各貸出レートで貸し出した遊技媒体の貯玉及び貯玉使用をそれぞれ認める場合に、貯遊技媒体管理装置又は景品管理機において設定した貸出レートごとに貯遊技媒体使用条件を用いて遊技店の様々な営業形態に効率良く適合させることができる。
【発明を実施するための最良の形態】
【００２３】
以下に添付図面を参照して、本発明に係る貯玉管理装置、景品交換システム、貯玉管理方法及び貯玉管理プログラムの好適な実施例を詳細に説明する。なお、ここではパチンコ玉を１玉４円で貸し出す４円コーナーとパチンコ玉を１玉１円で貸し出す１円コーナーが遊技店内に併設され、かつ、該遊技店が４円コーナーと１円コーナーの両方に対して貯玉・再プレイサービスを提供する場合について説明することとする。
【実施例１】
【００２４】
まず、本実施例１に係る貯玉管理システムのシステム構成について説明する。図１は、本実施例１に係る貯玉管理システムのシステム構成を示す図である。この貯玉管理システムは、パチンコ店等の遊技店に登録された会員に対して貯玉・再プレイサービスを提供するシステムである。かかる貯玉管理システムで管理された貯玉は、台間ユニットで再プレイできるだけではなく、景品管理機において菓子等の一般景品や特殊景品に交換することができる。
【００２５】
同図に示すように、遊技店内には、パチンコ機１０ａ及び台間ユニット２０ａからなる４円コーナーと、パチンコ機１０ｂ及び台間ユニット２０ｂからなる１円コーナーとが設けられている。この４円コーナーは、遊技客に対して１玉４円すなわち１００円で２５玉の玉貸しを行う島であり、１円コーナーは、遊技客に対して１玉１円すなわち１００円で１００玉の玉貸しを行う島である。貸出レートの低い１円コーナーを設けた理由は、主として、遊技客による試し打ちを可能にするとともに、遊技機に対する遊技客の客付きや評価に関する情報を得るためである。
【００２６】
パチンコ機１０ａ及びパチンコ機１０ｂは、パチンコ玉を用いたパチンコ遊技を遊技客に提供する遊技機であり、両者には４円コーナー及び１円コーナーに係る差異はない。ただし、１円コーナーに配設されるパチンコ機１０ｂは、遊技店の売上を担う遊技機ではなく、これから遊技店に新たに導入される新台が配設されることが多い。遊技客が大きな投資をすることなく新台の試し打ちを可能にするためである。
【００２７】
台間ユニット２０ａは、現金による１玉４円の玉貸し及び会員カードを用いた貯玉の再プレイを行うユニットであり、例えばこの台間ユニット２０ａに１０００円札が挿入されると、この台間ユニット２０ａからパチンコ機１０ａに対して２５０玉の玉投出指示がなされる。一方、台間ユニット２０ｂは、現金による１玉１円の玉貸し及び会員カードを用いた貯玉の再プレイを行うユニットであり、例えばこの台間ユニット２０ｂに１０００円札が挿入されると、台間ユニット２０ｂからパチンコ機１０ｂに対して１０００玉の玉投出指示がなされる。
【００２８】
遊技客は、これらの台間ユニット２０ａ及び２０ｂを用いて貯玉の再プレイを行うことができ、遊技客が台間ユニット２０ａ又は２０ｂのカード挿入口に会員カードを挿入した状態でテンキーから暗証番号を入力して所定の再プレイボタンを押下操作すると、会員カードＩＤ、暗証番号、１円コーナー又は４円コーナーの種別（以下「コーナー種別情報」と言う）及び台間ユニットを一意に特定する台間ユニット識別情報を含む再プレイ要求信号が貯玉管理装置５０に対して送信され、貯玉残高の範囲内で貯玉を引き落とすことができる。なお、ここでは一度の再プレイ操作で貯玉口座から引き出される玉数は固定であるものとする。
【００２９】
計数機３０は、遊技客が獲得したパチンコ玉数を計数する計数機であり、計数したパチンコ玉数を貯玉する機能を有する。具体的には、店員が遊技客から受け取った会員カードを計数機３０のカード挿入口に挿入してパチンコ玉が投入され、上記コーナー種別情報（４円コーナー又は１円コーナーの別）が指定されると、会員カードＩＤ、計数結果であるパチンコ玉の貯玉数、コーナー種別情報を含む貯玉依頼信号が貯玉管理装置５０に対して送信される。
【００３０】
また、かかる計数機３０は、計数したパチンコ玉数をバーコード印刷したレシートを発行することもでき、店員がパチンコ玉の計数後にコーナー種別情報を指定してレシート発行ボタンを押下操作すると、パチンコ玉数及びコーナー種別情報がバーコード印刷されたレシートが発行される。
【００３１】
なお、本実施例では、一台の計数機３０を用いて４円コーナーで遊技客が獲得したパチンコ玉と１円コーナーで遊技客が獲得したパチンコ玉の両方を計数することとしたが、本発明はこれに限定されるものではなく、４円コーナー専用の計数機と１円コーナー専用の計数機とを別個に配設することもできる。かかる場合には、店員が上記コーナー種別情報を指定する必要をなくすことができる。
【００３２】
景品管理機４０は、遊技店内のカウンタに配設されるとともに会員カードリーダ及びバーコードリーダを備えた景品交換用の端末装置であり、レシートに印刷されたバーコードからパチンコ玉数及びコーナー種別情報を読み取って景品交換時に利用するだけではなく、会員カードを用いた貯玉を行うことができる。具体的には、この景品管理機４０に設けられたバーコードリーダでレシートを読み取るとともに、カードリーダに会員カードを挿入して貯玉ボタンを押下すると、会員カードＩＤ、パチンコ玉数、４円コーナー又は１円コーナーの種別が含まれる貯玉依頼信号が貯玉管理装置５０に対して送信される。
【００３３】
また、この景品管理機４０では、預入済みの貯玉を一般景品又は特殊景品に景品交換することもできる。具体的には、遊技客が会員カードをカードリーダに挿入した状態で暗証番号を入力するとともに、店員が貯玉確認操作を行うと、会員カードＩＤ及び暗証番号を含む貯玉確認信号が貯玉管理装置５０に対して送信される。
【００３４】
そして、景品管理機４０は、この貯玉確認信号に応答する貯玉残高信号を貯玉管理装置５０から受信したならば、会員カードＩＤ、４円貯玉数、１円貯玉数並びに一般景品及び特殊景品への景品交換の可否を表示する。なお、本実施例１では、４円貯玉については一般景品及び特殊景品の双方へ景品交換することができ、１円貯玉については一般景品にのみ景品交換できるよう貯玉管理装置５０上で設定された場合を示している。
【００３５】
ここで、遊技客が、４円貯玉又は１円貯玉の別並びに景品交換を行う菓子等の一般景品を選択したならば、店員は、景品管理機４０のバーコードリーダを用いて菓子に付されたバーコードを読み取り、この菓子分の貯玉数が４円貯玉又は１円貯玉から減算され、その後店員は一般景品を遊技客に受け渡すことになる。
【００３６】
一方、遊技客が、４円貯玉又は１円貯玉の別を選択するとともに全貯玉の特殊景品への景品交換を店員に指示したならば、店員は特殊景品への景品交換操作を行い、これにより特殊景品分の貯玉数が該当する貯玉口座から減算され、その後特殊景品払出機４０ａに対して特殊景品の種別ごとに特殊景品払出枚数が指示される。
【００３７】
特殊景品払出機４０ａは、景品管理機４０からの特殊景品の種別ごとに特殊景品払出枚数を受け付け、受け付けた特殊景品払出枚数の特殊景品を装置内部から繰り出して排出する装置である。例えば、景品管理機４０から２５００円景品４枚と１０００円景品２枚の払出指示を受け付けたならば、特殊景品払出機４０ａは２５００円景品４枚と１０００円景品２枚の合計６枚の特殊景品を払い出すことになる。
【００３８】
貯玉管理装置５０は、後述する貯玉管理テーブル５４ａを用いて会員カードＩＤごとに各コーナー種別の貯玉数を管理する管理装置であり、計数機３０又は景品管理機４０から貯玉依頼信号を受け付けたならば該当する会員カードＩＤの該当するコーナー種別の貯玉口座に貯玉数を加算し、台間ユニット２０ａ又は２０ｂから再プレイ要求信号を受け付けたならば該当する会員カードＩＤの該当するコーナー種別の貯玉口座から再プレイ分の貯玉数を減算する。
【００３９】
また、この貯玉管理装置５０は、景品交換条件設定メニューを用いて４円貯玉及び１円貯玉ごとに貯玉の景品交換条件を設定することができる（詳細は後述）。本実施例１では、かかる景品交換条件として、貸出レートごとに貯玉口座内の貯玉の一般景品及び特殊景品への交換条件を用いた場合を示すこととする。
【００４０】
次に、図１に示した貯玉管理装置５０の構成について説明する。図２は、図１に示した貯玉管理装置５０の構成を示す機能ブロック図である。同図に示すように、この貯玉管理装置５０は、入力部５１と、表示部５２と、インターフェース部（Ｉ／Ｆ部）５３と、記憶部５４と、制御部５５とを有する。
【００４１】
入力部５１は、キーボードやマウス等の入力デバイスであり、表示部５２は、液晶パネルやディスプレイ等の表示デバイスであり、Ｉ／Ｆ部５３は、台間ユニット２０ａ及び２０ｂ、計数機３０又は景品管理機４０との間でデータ通信（信号授受）を行うためのインターフェースである。
【００４２】
記憶部５４は、ハードディスク装置や不揮発性メモリ等の記憶デバイスであり、貯玉管理テーブル５４ａ及び景品交換設定データ５４ｂを記憶する。貯玉管理テーブル５４ａは、図３に示すように、各会員の会員カードＩＤごとに４円貯玉の貯玉数と１円貯玉の貯玉数を記憶する。図３の例では、会員カードＩＤ「１２３４」の４円貯玉の貯玉数が１０００個であり、１円貯玉の貯玉数が４００個であり、会員カードＩＤ「５６７８」の４円貯玉の貯玉数が２００個であり、１円貯玉の貯玉数が８０００個である場合を示している。
【００４３】
景品交換設定データ５４ｂは、図４に示すように、遊技店の管理者により貸出レートごとに貯玉口座内の貯玉の一般景品及び特殊景品への景品交換条件を設定した設定データであり、ここでは一般景品又は特殊景品に対して交換が可能な場合には「１」を設定し、一般景品又は特殊景品に対して交換を認めない場合には「０」を設定するものとする。同図には、貸出レート４円の貯玉については一般景品及び特殊景品に交換することができ、貸出レート１円の貯玉については一般景品に交換できるものの特殊景品には交換できない状況を示している。なお、かかる景品交換設定データ５４ｂは、後述する景品交換設定部５５ｂにより設定処理される。
【００４４】
制御部５５は、貯玉管理装置５０を全体制御する制御部であり、貯玉管理部５５ａ及び景品交換設定部５５ｂを有する。実際には、図示しないＲＯＭや不揮発性メモリに記憶したプログラムをＣＰＵにロードして実行し、貯玉管理部５５ａ及び景品交換設定部５５ｂにそれぞれ対応するプロセスを実行させることになる。
【００４５】
貯玉管理部５５ａは、貯玉管理テーブル５４ａを用いて各遊技客（会員）の４円貯玉口座及び１円貯玉口座の貯玉数を管理する管理部であり、計数機３０又は景品管理機４０から貯玉依頼信号を受け付けた場合には該当する貯玉口座に貯玉数を加算する。また、台間ユニット２０ａ又は２０ｂから再プレイ要求信号を受け付けたならば、暗証番号を用いて正当に本人確認が行われ、該当する貯玉口座に再プレイ分の貯玉残高があり、かつ再プレイ可能玉数を超えない場合に、再プレイ分の貯玉数を減算する。さらに、この貯玉管理部５５ａは、景品管理機４０において貯玉を一般景品又は特殊景品に交換する際には、一般景品又は特殊景品に対応する玉数を該当する貯玉口座の貯玉残高から減算することになる。
【００４６】
景品交換設定部５５ｂは、入力部５１から所定の景品交換設定操作がなされた場合に、図５に示した景品交換設定ページ６０を表示部５２上に表示し、この景品交換設定ページ６０の入力枠内に入力されたデータを景品交換設定データ５４ｂとして格納処理する処理部である。
【００４７】
図５は、図２に示した景品交換設定部５５ｂにより表示部５２上に表示される景品交換設定ページ６０の一例を示す図である。同図に示すように、ここでは４円貯玉の景品交換設定として、一般景品及び特殊景品への景品交換を可と指定し、１円貯玉の景品交換設定として、一般景品への景品交換を可と指定し、特殊景品への景品交換を不可と指定した状況を示している。
【００４８】
ここで、１円貯玉の特殊景品への景品交換のみを不可とした理由は、４円貯玉のみを現金化可能にして１円貯玉と差別化し、もって遊技客の４円コーナーでの遊技意欲を高め、結果的にお試しコーナーとして位置づけられることが多い１円コーナーでの遊技客の回転率を高めるためである。
【００４９】
次に、図１に示した計数機３０を用いた貯玉処理について説明する。図６は、図１に示した計数機３０を用いた貯玉処理を説明するための説明図である。同図に示すように、遊技客は、計数機３０のカード挿入口に会員カードを挿入し（ステップＳ１０１）、獲得したパチンコ玉を投入（計数）し（ステップＳ１０２）、コーナー種別を選択操作して貯玉ボタンの押下操作を行う（ステップＳ１０３）。
【００５０】
かかる一連の操作が行われると、計数機３０から貯玉管理装置５０に対して貯玉依頼信号が送信される（ステップＳ１０４）。この貯玉依頼信号には、会員カードＩＤ、計数機３０で計数されたパチンコ玉数からなる貯玉数、コーナー種別情報が含まれる。
【００５１】
そして、この貯玉依頼信号を受信した貯玉管理装置５０は、会員カードＩＤ及びコーナー種別情報から貯玉対象となる貯玉口座を特定し、特定した貯玉口座に対して貯玉数を加算する貯玉登録処理を行う（ステップＳ１０５）。なお、上記一連の説明では、説明の便宜上、計数機３０にて計数したパチンコ玉数を全て貯玉する場合を示したが、計数したパチンコ玉数の一部を貯玉数とすることもできる（残りの玉数は計数レシートとして発行される）。かかる場合には、遊技客が貯玉数を指定する必要がある。
【００５２】
次に、図１に示した台間ユニット２０ａを用いた再プレイ処理について説明する。図７は、図１に示した台間ユニット２０ａを用いた再プレイ処理を説明するための説明図である。同図に示すように、遊技客は、台間ユニット２０ａのカード挿入口に会員カードを挿入し（ステップＳ２０１）、図示しないテンキーを用いて暗証番号を入力したうえで、再プレイボタンを押下操作する再プレイ操作を行う（ステップＳ２０２）。
【００５３】
かかる一連の操作が行われると、台間ユニット２０ａから貯玉管理装置５０に対して再プレイ要求信号が送信される（ステップＳ２０３）。この再プレイ要求信号には、会員カードＩＤ、暗証番号、並びに台間ユニット２０ａ内に記憶したコーナー情報種別及び台間ユニット識別情報が含まれる。
【００５４】
そして、この再プレイ要求信号を受信した貯玉管理装置５０は、再プレイ対象となる貯玉口座を特定し、暗証番号を用いた本人確認、該貯玉口座内に再プレイ分以上の口座残高が存在するか否かの再プレイ可否判定、再プレイ可能玉数すなわち１日あたりの再プレイ玉数の上限を超えているか否かを判定し（ステップＳ２０４）、本人確認結果が正しく口座残高も存在し、再プレイ可能玉数以内である場合には対象となる貯玉口座から再プレイ分の貯玉数を減算する貯玉数減算処理を行うとともに（ステップＳ２０５）、台間ユニット２０ａに対して再プレイ許可信号を送信する（ステップＳ２０６）。この再プレイ許可信号を受信した台間ユニット２０ａは、パチンコ機１０ａに対して再プレイ分の玉投出指示を行う。
【００５５】
次に、図１及び図２に示した貯玉管理装置５０による各貸出レートの貯玉残高確認処理について説明する。図８は、図１に示した景品管理機４０を用いた貯玉残高確認処理を説明するための説明図である。なお、ここでは説明の便宜上、貸出レート毎に一般景品及び特殊景品への交換可否を設定した景品交換設定データが事前に設定済みであるものとする。
【００５６】
同図に示すように、遊技客は、景品管理機４０のカード挿入口に会員カードを挿入し（ステップＳ３０１）、図示しないテンキーを用いて暗証番号を入力したうえで（ステップＳ３０２）、貯玉残高確認操作を行う（ステップＳ３０３）。
【００５７】
かかる一連の操作が行われると、景品管理機４０から貯玉管理装置５０に対して貯玉残高要求信号が送信される（ステップＳ３０４）。この貯玉残高要求信号には、会員カードＩＤ、暗証番号情報等が含まれる。
【００５８】
そして、この貯玉残高要求信号を受信した貯玉管理装置５０は、対象となる貯玉口座を特定し、暗証番号を用いた本人確認を行った後に（ステップＳ３０５）、該貯玉口座内の各貸出レートの貯玉残高を検索し（ステップＳ３０６）、本人確認結果が正しく口座残高も存在する場合には対象となる景品交換設定データを読み出すとともに（ステップＳ３０７）、景品管理機４０に対して貯玉残高信号が送信される（ステップＳ３０８）。この貯玉残高信号には、会員カードＩＤ、貯玉残高（４円貯玉、１円貯玉）及び景品交換設定データが含まれる。
【００５９】
そして、この貯玉残高信号を受信した景品管理機４０は、貯玉残高情報および景品交換設定データを読み出し（ステップＳ３０９）、図９に示すように、４円貯玉及び１円貯玉の貯玉残高をその景品交換可否（一般景品及び特殊景品にそれぞれ交換可能であるか）とともに所定の表示部に表示する。図９の例では、会員カードＩＤ「１２３４」の４円貯玉数が１０００玉であり１円貯玉数が４００玉であり、かつ、４円貯玉及び１円貯玉の一般景品への交換は可能であるが、１円貯玉の特殊景品への交換は不可である状況を示している。
【００６０】
そして、図９の４円貯玉のように貯玉残高を特殊景品に交換することができ、かつ店員によって特殊景品への交換操作が行われたならば、特殊景品払出機４０ａに対して特殊景品の種別毎に払出枚数が通知され、この通知を受けた特殊景品払出機４０ａが該当する種別の特殊景品を指示された枚数分払い出す。
【００６１】
次に、図１及び図２に示した貯玉管理装置５０の貯玉残高要求信号受信時の処理手順について説明する。図１０は、図１及び図２に示した貯玉管理装置５０の貯玉残高要求信号受信時の処理手順を示すフローチャートである。なお、ここでも説明の便宜上、景品交換設定データが事前に設定済みであるものとする。
【００６２】
同図に示すように、貯玉管理装置５０が景品管理機４０から貯玉残高要求信号を受信すると（ステップＳ４０１）、該貯玉残高要求信号に含まれる暗証番号が正しいか否かを判定する（ステップＳ４０２）。具体的には、会員登録時に会員カードＩＤと暗証番号を対応付けて登録して図示しない会員管理テーブルに記憶しているため、貯玉残高要求信号に含まれる会員カードＩＤに対応する暗証番号を会員管理テーブルから読み出して貯玉残高要求信号に含まれる暗証番号と比較し、両者が一致すれば暗証番号が正しいと判定し、両者が一致しない場合には暗証番号が誤っていると判定する。
【００６３】
その結果、暗証番号が正しいと判定された場合には（ステップＳ４０２肯定）、該当する貯玉口座の貯玉残高を検索するとともに（ステップＳ４０３）、景品交換設定データを読み出し（ステップＳ４０４）、景品管理機４０に対して貯玉残高及び景品交換設定データを含む貯玉残高信号を送信する（ステップＳ４０５）。なお、暗証番号が正しくない場合には（ステップＳ４０２否定）、景品管理機４０に対してエラー信号を送信する（ステップＳ４０６）。
【００６４】
次に、図１に示した景品管理機４０が景品交換操作を受け付けた場合の処理手順について説明する。図１１は、図１に示した景品管理機４０が景品交換操作を受け付けた場合の処理手順を示すフローチャートである。なお、景品交換設定データ５４ｂはすでに景品管理機４０に記憶されているものとする。
【００６５】
同図に示すように、景品管理機４０上で店員による景品交換操作を受け付けたならば（ステップＳ５０１）、事前に貯玉管理装置５０から提供された景品交換設定データ５４ｂに基づいて該当する貯玉残高の一般景品及び特殊景品への交換可否を判定する（ステップＳ５０２）。
【００６６】
その結果、景品交換設定データの設定から見て指定された一般景品又は特殊景品への交換ができない場合には（ステップＳ５０３否定）、エラー表示を行う（ステップＳ５０４）。これに対して、指定された一般景品又は特殊景品への交換が可能である場合には（ステップＳ５０３肯定）、貯玉管理装置５０に対して一般景品又は特殊景品分の貯玉減算指示を送信する（ステップＳ５０５）。
【００６７】
そして、指定された景品が一般景品である場合には（ステップＳ５０６否定）、貯玉減算をもって該貯玉の景品交換を終え、指定された景品が特殊景品である場合には（ステップＳ５０６肯定）、特殊景品払出機４０ａに対して景品払出指示を行う（ステップＳ５０７）。具体的には、特殊景品の種別（２５００円景品、１０００円景品）毎に払出枚数を通知することになる。
【００６８】
上記一連の処理を景品交換操作終了操作が行われるまで繰り返し（ステップＳ５０８否定）、景品交換操作終了操作を受け付けたならば、景品交換処理を終了する。
【００６９】
上述してきたように、本実施例１では、貯玉管理装置５０の貯玉管理部５５ａが、会員カードＩＤに対応付けて４円貯玉口座及び１円貯玉口座を管理する貯玉管理テーブル５４ａを用いて各遊技客の貯玉数を管理するとともに、景品交換設定部５５ｂにより貸出レート毎の貯玉口座内の貯玉に対する一般景品並びに特殊景品への景品交換条件を設定処理しておき、４円貯玉については一般景品及び特殊景品の双方に交換可能とし、１円貯玉については一般景品のみへ交換可能とし、もって４円貯玉の貯玉使用を優遇することにより、効率良く遊技店の営業形態に適合した貯玉サービスを行うことができる。
【実施例２】
【００７０】
ところで、上記実施例１では、貯玉残高を一般景品及び特殊景品に交換できるか否かを貸出レート毎に設定する場合について説明したが、単に特殊景品全体を対象とするのではなく、一般景品の種別毎又は特殊景品の種別毎にその交換可否を設定することもできる。例えば、特殊景品の種別として２５００円景品と１０００円景品が存在する場合に、４貯貯玉については２５００円景品と１０００円景品の両方に交換可能であるが、１円貯玉については１０００円景品にのみ交換可能とすることができる。同様に、一般景品についてもその商品種別毎に交換可否を設定することができる。このようにすれば、４円貯玉を１円貯玉よりも優遇し、もって遊技客に対する４円コーナーでの遊技意欲を高めることができるからである。
【００７１】
そこで、本実施例２では、貯玉残高の一般景品及び特殊景品への交換可否を一般景品の種別毎並びに特殊景品の種別毎に設定する場合について示すこととする。かかる場合に、貯玉管理システムのシステム構成は図１と同様になり、貯玉管理装置の装置構成は図２と同様になり、貯玉手順は図６と同様になり、再プレイ手順は図７と同様のものとなる。このため、本実施例２では、景品交換設定データに基づいた交換可否判定を中心に説明することとする。
【００７２】
図１２は、本実施例２に係る景品交換設定データ８０の一例を示す図である。同図に示すように、この景品交換設定データ８０は、４円貯玉及び１円貯玉のそれぞれについて一般景品の種別毎（特売品及び菓子）の景品交換条件並びに特殊景品の種別毎（１０００円景品及び２５００円景品）の景品交換条件を設定した設定データであり、ここでは一般景品又は特殊景品に対して交換が可能な場合には「１」を設定し、一般景品又は特殊景品に対して交換を認めない場合には「０」を設定するものとする。
【００７３】
同図に示すように、ここでは一般景品に関しては、貸出レート４円の４円貯玉については特売品及び菓子への交換を可能としており、貸出レート１円の１円貯玉については菓子への交換のみを可能とした状況を示している。４円貯玉の一般景品への交換を１円貯玉よりも優遇するためである。
【００７４】
同様に、特殊景品に関しては、４円貯玉については２５００円景品及び１０００円景品への交換を可能とし、１円貯玉については１０００円景品への交換のみを可能とした状況を示している。４円貯玉の特殊景品への交換を５００円単位として１円貯玉よりも優遇するためである。
【００７５】
上記景品交換設定データ８０は、図１３に示した景品交換設定ページ９０を用いて設定される。図１３は、本実施例２に係る景品交換設定ページの一例を示す図である。同図に示すように、ここでは、一般景品の種別毎（特売品、菓子）並びに特殊景品の種別毎（２５００円景品、１０００円景品）に交換可否を設定できる状況を示している。
【００７６】
上述してきたように、本実施例２では、貯玉管理装置５０の貯玉管理部５５ａが、会員カードＩＤに対応付けて４円貯玉口座及び１円貯玉口座を管理する貯玉管理テーブル５４ａを用いて各遊技客の貯玉数を管理するとともに、貯玉管理装置５０により管理される貯玉口座内の貯玉に対する特殊景品への景品交換条件を貸出レート及び特殊景品の種別ごとに設定するよう構成し、４円貯玉について５００円単位での特殊景品への交換ができるように優遇することにより、遊技店の営業形態に効率良く適合させることができる。
【００７７】
また、貯玉管理装置５０により管理される貯玉口座内の貯玉に対する一般景品への景品交換条件を貸出レート及び一般景品の種別ごとに設定するよう構成し、４円貯玉については店内に陳列した全ての一般景品に交換可能とし、１円貯玉については菓子のみに交換可能とし、もって４円貯玉について優遇することにより、遊技店の営業形態に効率良く適合させることができる。
【００７８】
なお、上記実施例１及び２では、一旦貯玉管理装置５０で貯玉管理された貯玉を一般景品及び特殊景品に景品交換する場合を示したが、本発明はこれに限定されるものではなく、貯玉を伴わない場合に適用することもできる。かかる場合には、貯玉管理装置５０の景品交換設定部５５ｂで設定された景品交換設定データ５４ｂを事前に景品管理機４０に通知しておき、計数機３０から排出したレシートが持ち込まれた場合に、このレシートから獲得玉数及びコーナー情報を読み取り、該当するコーナー情報の景品交換可否を景品交換設定データ５４ｂに基づいて判定し、その判定結果に応じて景品交換を行うことになる。
【００７９】
また、上記実施例１及び２では、貯玉管理装置５０上に景品交換設定部５５ｂを設けて
景品交換設定データ５４ｂを設定する場合を示したが、本発明はこれに限定されるものではなく、かかる景品交換設定部５５ｂを景品管理機４０上に設け、景品管理機４０自身で景品交換設定データ５４ｂを設定することもできる。この場合は、景品管理機４０上で事前に景品交換設定データ５４ｂを設定しておき、貯玉管理装置５０からは貯玉数の情報のみ（景品交換設定データ５４ｂは受け取らない）を受け取って景品交換の可否を判定することになる。特に、遊技店内に複数台の景品管理機４０が親機と複数の子機というシステム構成で設置されている場合には、親機となる景品管理機４０上に景品交換設定部５５ｂを設けて景品交換設定データ５４ｂを設定し、設定した景品交換設定データ５４ｂを子機となる景品管理機４０に対して通知されることになる。
【００８０】
また、上記実施例１及び２では、貸出レートが４円及び１円の場合について説明したが、本発明はこれに限定されるものではなく、複数の貸出レートの運用を行う様々なケースに適用することができる。また、上記実施例１及び２では、１円コーナーより４円コーナーを優遇する場合について説明したが、本発明はこれに限定されるものではなく、遊技店の要求によっては１円コーナーを優遇した貯玉使用条件を設定することもできる。さらに、上記実施例１及び２では、本発明をパチンコ玉の貯玉システムに適用した場合を示したが、本発明はこれに限定されるものではなく、遊技媒体が異なる貯メダルシステム等に適用することもできる。
【産業上の利用可能性】
【００８１】
本発明にかかる貯玉管理装置、貯玉管理方法及び貯玉管理プログラムは、複数の貸出レートでの遊技媒体の貸し出しを認めるとともに、各貸出レートで貸し出した遊技媒体の貯玉及び貯玉使用をそれぞれ認める場合に、遊技店の様々な営業形態に効率良く適合させる場合に有用である。
【図面の簡単な説明】
【００８２】
【図１】本実施例１に係る貯玉管理システムのシステム構成を示す図である。
【図２】図１に示した貯玉管理装置の構成を示す機能ブロック図である。
【図３】図２に示した貯玉管理テーブルの一例を示す図である。
【図４】図２に示した景品交換設定データの一例を示す図である。
【図５】図１に示した景品交換設定部が表示制御する景品交換設定ページの一例を示す図である。
【図６】図１に示した計数機を用いた貯玉処理を説明するための説明図である。
【図７】図１に示した台間ユニットを用いた再プレイ処理を説明するための説明図である。
【図８】図１に示した景品管理機を用いた貯玉残高確認処理を説明するための説明図である。
【図９】図１に示した景品管理機の表示部に表示する表示例を示す図である。
【図１０】、図１及び図２に示した貯玉管理装置の貯玉残高要求信号受信時の処理手順を示すフローチャートである。
【図１１】図１に示した景品管理機が景品交換操作を受け付けた場合の処理手順を示すフローチャートである。
【図１２】本実施例２に係る景品交換設定データの一例を示す図である。
【図１３】本実施例２に係る景品交換設定ページの一例を示す図である。
【符号の説明】
【００８３】
１０ａ  パチンコ機（４円コーナー）
１０ｂ  パチンコ機（１円コーナー）
２０ａ  台間ユニット（４円コーナー）
２０ｂ  台間ユニット（１円コーナー）
３０  計数機
４０  景品管理機
４０ａ  特殊景品払出機
５０  貯玉管理装置
５１  入力部
５２  表示部
５３  インターフェース部（Ｉ／Ｆ部）
５４  記憶部
５４ａ  貯玉管理テーブル
５４ｂ  景品交換設定データ
５５  制御部
５５ａ  貯玉管理部
５５ｂ  景品交換設定部
６０  景品交換設定ページ
７０  景品交換情報表示画面
８０  景品交換設定データ
９０  景品交換設定ページ
【図１】
2008167997.tif 000003
【図２】
2008167997.tif 000004
【図３】
2008167997.tif 000005
【図４】
2008167997.tif 000006
【図５】
2008167997.tif 000007
【図６】
2008167997.tif 000008
【図７】
2008167997.tif 000009
【図８】
2008167997.tif 000010
【図９】
2008167997.tif 000011
【図１０】
2008167997.tif 000012
【図１１】
2008167997.tif 000013
【図１２】
2008167997.tif 000014
【図１３】
2008167997.tif 000015